(57)【要約】  本発明は、カプセル台（４）、及び内部に少なくとも１つの水入口及びカプセル穿孔手段がある、カプセルハウジング（５）を含んでなり、側壁（２）の底部部分に密閉バルジ（６）を有するカプセル（１）から抽出される飲料を調製するためのデバイスであって、該ハウジング（５）の内面の底端部が、その内面の少なくとも一部に、上記密閉バルジ（６）との密閉接触を備えるように合わせて形成された、環状凹部（８）を含んでなることを特徴とする、上記デバイスに関する。
2013500051.tif 000002
【特許請求の範囲】
【請求項１】
カプセル支持体（４）、及び内部に少なくとも水入口及びカプセル穿孔手段が内部にある、カプセル・ケージ（５）を含んでなる、側壁（２）の下方部分に密閉バルジ（６）を備えるカプセル（１）から、抽出された飲料を調製するためのデバイスであって、上記ケージ（５）の内面の下方端部が、それの内面の少なくとも一部が、上記密閉バルジ（６）と密閉接触の状態になるように大きさを合わせて形成される、環状凹部（８）を含んでなることを特徴とする、上記デバイス。
【請求項２】
凹部（８）がシール（９）を含んでなる、請求項１に記載のデバイス。
【請求項３】
シール（９）が、自由端が、前記密閉バルジ（６）と密閉接触の状態になるように設計される、可動部分（１１）を含んでなる、請求項２に記載のデバイス。
【請求項４】
凹部（８）が、さらに、前記シール（９）を支持することを目的とした、裏当てリング（１２）を含んでなる、請求項２又は３に記載のデバイス。
【請求項５】
前記リング（１２）は、液体が流れることを可能にするために設置される、少なくとも１つの孔（１３）を含んでなる、請求項４に記載のデバイス。
【発明の詳細な説明】
【技術分野】
【０００１】
本発明は、飲料、例えばコーヒー系飲料を、カプセル中に含まれる、濃縮ドーズ（concentrated dose）、例えば、挽いたコーヒーの濃縮ドーズを抽出することにより調製する分野の範囲内に含まれる。より詳しくは、本発明は、このようなカプセルを使用するデバイスに関する。
【背景技術】
【０００２】
上述の原理に基づき作動する、カプセルと道具は、何十年もの間存在してきた。
【０００３】
特許文献１、２、３及び４に、最初にカプセルの数カ所に穴を開け、次に加圧された水を、それに通過させるデバイスが記述されている。
【０００４】
特許文献５、又は、特許文献６に記載のカプセルは、それの下方部分に膜を含む。加圧水は、最初に、カプセルの上方部分内に導入され、主に膜の領域において、カプセルを膨潤させる。ある圧力を越えると、膜は裂け、その結果、水−コーヒーの混合物が流れ出るのを可能にする。
【０００５】
膜が備えられた他のカプセルが、以下の特許文献７、８、９に記述されている。
【先行技術文献】
【特許文献】
【０００６】
【特許文献１】ＵＳ  ２  ８９９  ８８６
【特許文献２】ＵＳ  ２  ９６８  ５６０
【特許文献３】ＵＳ  ３  ４０３  ６１７
【特許文献４】ＵＳ  ３  ６０７  ２９７
【特許文献５】ＣＨ  ６０５  ２９３
【特許文献６】ＥＰ  ０  ２４２  ５５６  Ｂ１
【特許文献７】ＥＰ  ０  ４６８  ０７９  Ａ
【特許文献８】ＥＰ  ０  ８０６  ３７３  Ａ
【特許文献９】ＥＰ  ０  ５５４  ４６９  Ａ
【発明の概要】
【発明が解決しようとする課題】
【０００７】
本発明は、特に、それらの下方部分に密閉バルジ（bulge）が備えられたカプセルから、コーヒーを抽出することを意図された、デバイスの密閉性を改善しようと努めるものである。
【課題を解決するための手段】
【０００８】
それゆえ、本発明の主題は、それの側壁の下方部分に密閉バルジが備えられ、カプセル支持体、及び内部に少なくとも水入口及びカプセル穿孔の手段が内部にある、カプセル・ケージを含んでなる、カプセルから抽出される飲料を調製するためのデバイスであって、上記ケージの内面の下方端部が、少なくとも、その内面の一部が、上記密閉バルジと密閉接触の状態になるように大きさを合わせて形成される、環状凹部を含んでなることを特徴とする、デバイスである。
【０００９】
有利なことに、密閉性は、シ−ルを凹部内に固定することにより、改善することが出来る。
【００１０】
本発明の一実施態様によると、シールは、自由端が、上記密閉バルジと密閉接触の状態になるように設計される、可動部分を含んでなる。
【００１１】
シールを支持するために、さらに、凹部は、好ましくは、シールの下に置かれた、裏当てリングを含んでなる。
【００１２】
本発明の別の形態において、そのリングは、液体の流れを可能にするために設置される、少なくとも１つの孔を含んでなる。
【図面の簡単な説明】
【００１３】
【図１】本発明の１つの実施態様を示す図であって、カプセルが挿入されている過程を示す。
【図２】図１の一部拡大図である。
【図３】図１のデバイスの、カプセルが密閉接触した状態になっていることを示す図である。
【図４】図３の一部拡大図である。
【図５】図５〜図８は密閉バルジを備えたカプセルの使用と、このようなバルジを備えていないカプセルの使用との比較を示す図であって、図５はバルジを備えたカプセルを示す。
【図６】図５〜図８は密閉バルジを備えたカプセルの使用と、このようなバルジを備えていないカプセルの使用との比較を示す図であって、図６は図５の一部拡大図である。
【図７】図５〜図８は密閉バルジを備えたカプセルの使用と、このようなバルジを備えていないカプセルの使用との比較を示す図であって、図７はバルジを備えていないカプセルを示す。
【図８】図５〜図８は密閉バルジを備えたカプセルの使用と、このようなバルジを備えていないカプセルの使用との比較を示す図であって、図８は図７の一部拡大図である。
【図９】図９〜図１８はシールがリングにより支持される、本発明の別の、代替の形態を示す図であり、図９はカプセルが挿入されている過程を示す。
【図１０】図９〜図１８はシールがリングにより支持される、本発明の別の、代替の形態を示す図であり、図１０は図９の一部拡大図である。
【図１１】図９〜図１８はシールがリングにより支持される、本発明の別の、代替の形態を示す図であり、図１１は密閉接触に入る前の図である。
【図１２】図９〜図１８はシールがリングにより支持される、本発明の別の、代替の形態を示す図であり、図１２は図１１の一部拡大図である。
【図１３】図９〜図１８はシールがリングにより支持される、本発明の別の、代替の形態を示す図であり、図１３はリング１２がシール９をしっかり保持した状態を示す図である。
【図１４】図９〜図１８はシールがリングにより支持される、本発明の別の、代替の形態を示す図であり、図１４は図１３の一部拡大図である。
【図１５】図９〜図１８はシールがリングにより支持される、本発明の別の、代替の形態を示す図であり、図１５は液体が流れ得る孔を備えたデバイスの図である。
【図１６】図９〜図１８はシールがリングにより支持される、本発明の別の、代替の形態を示す図であり、図１６は図１５の一部拡大図である。
【図１７】図９〜図１８はシールがリングにより支持される、本発明の別の、代替の形態を示す図であり、図１７は図１５の孔を下方からみた図である。
【図１８】図９〜図１８はシールがリングにより支持される、本発明の別の、代替の形態を示す図であり、図１８は図１７の一部拡大図である。
【発明を実施するための形態】
【００１４】
本発明は、以下の図面によって図示される、いくつかの、非限定的実施態様を通じて、より詳しく記述される。
【００１５】
図１〜４は、本発明の１つの実施態様を示す。
【００１６】
図５〜８は、密閉バルジを備えたカプセルの使用と、このようなバルジを備えていないカプセルの使用との比較を示す。
【００１７】
図９〜１８は、シールがリングにより支持される、本発明の別の、代替の形態を示す。
【００１８】
図１に、カプセル支持体４とカプセル・ケージ５から成るアセンブリ（assembly）内に配置されている、下方抽出面７が備えられたカプセル１を示す。
【００１９】
それの下方部分にある、カプセル１の側壁２は、溝１０の形状の密閉バルジ６を含む。より具体的には、そのバルジ６は、側壁２とカプセル１のフランジ３により画成された面の交点の近くにある。
【００２０】
図２にからも分かるように、ケージ５の壁の内面は、環状溝８を有する。
【００２１】
本発明の１つの非例示実施態様によると、凹部８は、密閉用要素を有していない。それの内面は、単純に、バルジ６とシールを形成するように構成されている。
【００２２】
凹部８の水平面を、バルジ６との上部面だけに接触させることにより、密閉性を達成することが出来る。
【００２３】
凹部８に、成形品の形状とそれの型の形状のやり方で、バルジ６の形状に、正確に、一致している形状を与えることも可能である。
【００２４】
図１〜１４に図示された溝は、シール９を含む。後者は、それが、バルジ６の溝１０に組み込まれるように、その自由端が形作られている、可動部分１１を含む（例えば、図３と４を参照のこと）。
【００２５】
液体が、カプセル１の側壁２とケージ５の内側壁の間を流れる時、可動部分１１の上方面に圧力がかかり、後者をカプセル１の溝１０内に組み込ませる。バルジ６での密閉性は、このようにして、改善される。
【００２６】
もしも、カプセル１がバルジを有していないならば（図７と８参照）、シール９によって、液体を抑えられない。かかる場合、密閉性は確保されない。
【００２７】
バルジ６が備えたカプセル１の存在下で、シール９の効果を改善するために、図９〜１８に図示されているように、裏当てリング１２を嵌めてもよい。
【００２８】
特に、図１４に見られるように、リング１２は、カプセル１のフランジ３に抗して押圧し、これが凹部８のシール９をよりしっかりと保持する。
【００２９】
本発明によるデバイスの使用を、密閉バルジ６を有するカプセルに限定するために、リング１２は一連の孔１３を含む。これらの孔は、リング１３を通過して、液体が流れるのを可能にするように配置されている。このようにして、リング１２は、密閉バルジ６を有していないカプセルのためのシールのように働くことは出来ない。
【００３０】
言うまでも無く、本発明は、図において図示された例に限定されるものでない。
【図１−２】
2013500051.tif 000003
【図３−４】
2013500051.tif 000004
【図５−６】
2013500051.tif 000005
【図７−８】
2013500051.tif 000006
【図９−１０】
2013500051.tif 000007
【図１１−１２】
2013500051.tif 000008
【図１３−１４】
2013500051.tif 000009
【図１５−１６】
2013500051.tif 000010
【図１７−１８】
2013500051.tif 000011
【国際調査報告】
2013500051.tif 000012
2013500051.tif 000013
2013500051.tif 000014
2013500051.tif 000015
2013500051.tif 000016
2013500051.tif 000017
2013500051.tif 000018
2013500051.tif 000019